(57)【特許請求の範囲】
【請求項１】
吊元側縦枠の長手方向の一端側を基準として各丁番の縦枠側取付片を取り付ける取付ネジの径と略同一径の丁番取付孔を吊元側縦枠に複数形成し、
吊元側縦框の長手方向の一端側を基準として各丁番の縦框側取付片を取り付ける取付ネジの径よりも大きい径とする丁番取付孔を吊元側縦框に複数形成する工程、
吊元側縦枠の各丁番取付孔に、各丁番の縦枠側取付片を取付ネジで固定する工程、
吊元側縦框内で、取付ネジの径と略同一径の取付孔を複数形成した一端側の裏板を、固定ネジで固定した後、
吊元側縦框の一端側の丁番取付孔に、一端側の丁番の縦框側取付片と一端側の裏板を取付ネジで共締めして固定する工程、
吊元側縦框内で、取付ネジの径と略同一径の取付孔を複数形成した他の裏板を、上下方向へ摺動自在かつ、一定以上の下方への摺動を規制して保持した上、他の丁番の縦框側取付片と他の裏板を、吊元側縦框の他の丁番取付孔に取付ネジで取り付ける工程、
各丁番の縦框側取付片と、縦枠側取付片を、その丁番軸と丁番軸溝を上方から係合させて、吊元側縦枠に、吊元側縦框を取り付ける際に、吊元側縦框の他の丁番取付孔に他の丁番の縦框側取付片と裏板を上下方向に位置調整して取付ネジで共締めして固定する工程を順次行うこと
を特徴とする開閉扉の取付方法。
【請求項２】
各丁番は、吊元側縦枠に取り付けられる縦枠側取付片と、吊元側縦框に取り付けられる縦框側取付片と、丁番軸と丁番軸溝を有するものであり、
各丁番の縦框側取付片と、縦枠側取付片を、その丁番軸と丁番軸溝を上方から係合させて、吊元側縦框を吊元側縦枠に取り付けるものであり、
吊元側縦枠の長手方向の一端側を基準として各丁番の縦枠側取付片を取り付ける取付ネジの径と略同一径の丁番取付孔を吊元側縦枠に複数形成し、各丁番の縦枠側取付片を取付ネジで固定してあり、
吊元側縦框の長手方向の一端側を基準として各丁番の縦框側取付片を取り付ける取付ネジの径よりも大きい径とする丁番取付孔を吊元側縦框に複数形成してあり、
各丁番の縦框側取付片は、吊元側縦框内に配される各裏板と取付ネジで共締めして、吊元側縦框に固定されるものであり、
各裏板には、取付ネジの径と略同一径の取付孔を形成してあり、
吊元側縦框内で、一端側の裏板を固定ネジで固定した後、吊元側縦框の一端側の丁番取付孔に一端側の丁番の縦框側取付片と一端側の裏板を取付ネジで共締めして、固定し、
吊元側縦框内で、他の裏板を上下方向へ摺動自在かつ、一定以上の下方への摺動を規制して保持した上、他の縦框側取付片と他の裏板を、吊元側縦框の他の丁番取付孔に取付ネジで取り付け、
吊元側縦枠に、吊元側縦框を取り付ける際に、吊元側縦框の他の丁番取付孔に他の丁番の縦框側取付片と裏板を上下方向に位置調整して、取付ネジで共締めして固定してある
ことを特徴とする開閉扉。
【発明の詳細な説明】
【技術分野】
【０００１】
本願発明は、枠体に対して開閉自在となる開閉扉の取付方法及び該開閉扉の取付方法によって取り付けられる開閉扉に関するものである。
【背景技術】
【０００２】
枠体と、枠体に対して開閉自在となる開閉扉において、枠体を構成する縦枠及び開閉扉を構成する縦框における丁番取付孔の加工は、縦枠及び縦框の一端側を金型に突き当てて基準とした上で、全ての丁番取付孔を同時に加工する。そのため、縦枠及び縦框の幅方向では加工誤差は小さいが、長手方向では加工誤差は順次大きくなるものである。そのため、枠体に開閉扉を取り付けるにあたり、特に縦枠及び縦框の一端側以外の丁番取付孔では加工誤差を解消するための位置調整を行う必要がある。即ち、枠体に対して丁番を介して開閉扉を取り付けるにあたり、枠体の縦枠に形成される丁番取付孔の孔径を取付ネジの径よりも大とし、その上で丁番片の位置決めにゲージを使用して位置調整を行っているものである。
【０００３】
従って、枠体に対して開閉扉を取り付けるにあたり、開閉扉の取付作業は非常に煩雑となり、作業効率が著しく低下するものとなる。
【０００４】
そして、枠体の縦枠に形成される丁番取付孔の径が取付ネジの径よりも大きすぎると縦枠の丁番取付孔内に空間が形成されるので、枠体に対して開閉扉にガタが発生し易くなる。その結果、丁番片を固定するにあたっては縦枠内より裏板を共締めして強固に固定する必要があり、また、その裏板自体の固定も必要となるものである。
【０００５】
そのため、例えば枠体に対して開閉扉の位置調整を簡易にできるように、スイング扉側に取り付けるヒンジにおいて下部側４ヒンジの下部ヒンジプレート４ｂには、ヒンジ止着用ビスｃを挿通させるビス孔ｅを、長円形とするとともに、その長円方向をヒンジ軸に直交させる状態で上下に２個形成するものがある（特許文献１参照）。
【０００６】
しかしながら、この発明はスイング扉を閉成した場合だけ位置調整するものであることからスイング扉の調整方向は限定されてしまい、しかもスイング扉自体は閉成に伴って位置調整を行うため強固に取り付けられてはおらず、ガタが生じやすいものである。
【先行技術文献】
【特許文献】
【０００７】
【特許文献１】特開平７−３１７４４２号公報
【発明の概要】
【発明が解決しようとする課題】
【０００８】
解決しようとする問題点は、枠体に対して開閉自在となる開閉扉を簡易且つ正確に、しかも強固に取り付けることである。
【課題を解決するための手段】
【０００９】
第１の特徴として、
吊元側縦枠の長手方向の一端側を基準として各丁番の縦枠側取付片を取り付ける取付ネジの径と略同一径の丁番取付孔を吊元側縦枠に複数形成し、
吊元側縦框の長手方向の一端側を基準として各丁番の縦框側取付片を取り付ける取付ネジの径よりも大きい径とする丁番取付孔を吊元側縦框に複数形成する工程、
吊元側縦枠の各丁番取付孔に、各丁番の縦枠側取付片を取付ネジで固定する工程、
吊元側縦框内で取付ネジの径と略同一径の取付孔を複数形成した一端側の裏板を固定ネジで固定した後、
吊元側縦框の一端側の丁番取付孔に、一端側の丁番の縦框側取付片と一端側の裏板を取付ネジで共締めして固定する工程、
吊元側縦框内で、取付ネジの径と略同一径の取付孔を複数形成した他の裏板を上下方向へ摺動自在かつ、一定以上の下方への摺動を規制して保持した上、他の丁番の縦框側取付片と他の裏板を、吊元側縦框の他の丁番取付孔に取付ネジで取り付ける工程、
各丁番の縦框側取付片と、縦枠側取付片を、その丁番軸と丁番軸溝を上方から係合させて、吊元側縦枠に、吊元側縦框を取り付ける際に、吊元側縦框の他の丁番取付孔に他の丁番の縦框側取付片と裏板を上下方向に位置調整して取付ネジで共締めして固定する工程を順次行うものである。
【００１０】
そのため、枠体の縦枠と開閉扉の縦框とにおける丁番取付孔の加工誤差により必要となる上下方向への位置調整は、加工誤差がきわめて少ない一端側の丁番以外の他の丁番において、縦框側取付片の取付孔と吊元側縦框の丁番取付孔とを合致させて固定することにより行うことができる。従って、枠体に対して開閉扉を簡易且つ正確に取り付けることができる。
【００１１】
さらに、吊元側縦框の一端側の丁番取付孔では縦框の長手方向に加工誤差が少ないので、丁番の縦框側取付片は吊元側縦框内で固定された裏板を取付ネジにより共締めすることで他の丁番の取付基準とすることができる。そして、吊元側縦框の他の丁番取付孔における位置調整では、吊元側縦框内で裏板を一端側以外の他の丁番の縦框側取付片の位置調整に合わせて上下方向に摺動させて保持することで、丁番の縦框側取付片と吊元側縦框内で保持される裏板とは取付ネジにより共締めすることができる。従って、丁番の縦框側取付片は取付ネジにより吊元側縦框に強固に固定することができる。
【００１２】
そこで、上記取付方法により取り付けられた開閉扉は、各丁番は、吊元側縦枠に取り付けられる縦枠側取付片と、吊元側縦框に取り付けられる縦框側取付片と、丁番軸と丁番軸溝を有するものであり、
各丁番の縦框側取付片と、縦枠側取付片を、その丁番軸と丁番軸溝を上方から係合させて、吊元側縦框を吊元側縦枠に取り付けるものであり、
吊元側縦枠の長手方向の一端側を基準として各丁番の縦枠側取付片を取り付ける取付ネジの径と略同一径の丁番取付孔を吊元側縦枠に複数形成し、各丁番の縦枠側取付片を取付ネジで固定してあり、
吊元側縦框の長手方向の一端側を基準として各丁番の縦框側取付片を取り付ける取付ネジの径よりも大きい径とする丁番取付孔を吊元側縦框に複数形成してあり、
各丁番の縦框側取付片は、吊元側縦框内に配される各裏板と取付ネジで共締めして、吊元側縦框に固定されるものであり、
各裏板には、取付ネジの径と略同一径の取付孔を形成してあり、
吊元側縦框内で、一端側の裏板を固定ネジで固定した後、吊元側縦框の一端側の丁番取付孔に一端側の丁番の縦框側取付片と一端側の裏板を取付ネジで共締めして、固定し、
吊元側縦框内で、他の裏板を上下方向へ摺動自在かつ、一定以上の下方への摺動を規制して保持した上、他の縦框側取付片と他の裏板を、吊元側縦框の他の丁番取付孔に取付ネジで取り付け、
吊元側縦枠に、吊元側縦框を取り付ける際に、吊元側縦框の他の丁番取付孔に他の丁番の縦框側取付片と裏板を上下方向に位置調整して、取付ネジで共締めして固定してあるものとなる。
【発明の効果】
【００１３】
本願発明は、枠体に対する開閉扉の取り付けにおいて、枠体の縦枠及び開閉扉の縦框における丁番取付孔の長手方向の加工誤差を解消するための位置調整は開閉扉の縦框の一端側の丁番以外の他の縦框側取付丁番片の取付ネジによる固定により簡易且つ正確に行えるので、枠体に対する開閉扉の取付作業の効率を著しく向上させることができる優れた効果を有する。
【００１４】
そして、縦框に対して縦框側取付片は裏板、特に縦框の一端側の丁番以外の丁番の縦框側取付片の位置調整に合わせて裏板を上下方向に摺動させることで取付ネジにより確実に共締めできる。その結果、枠体に対して開閉扉の取付を強固にすることができる優れた効果をも有するものである。
【図面の簡単な説明】
【００１５】
【図１】開閉扉に対する丁番の取付方法を示す模式図。
【図２】開閉扉の正面図。
【図３】開閉扉のＡ−Ａ縦断面図。
【図４】開閉扉のＢ−Ｂ横断面図。
【図５】（イ）吊元側縦枠の要部拡大断面図。（ロ）裏板の全体斜視図。
【図６】（イ）吊元側縦框の要部拡大断面図。（ロ）裏板の全体斜視図。
【発明を実施するための形態】
【００１６】
以下、本願発明について図面に基づき説明する。
【実施例】
【００１７】
図２に示すものは、本願発明である開閉扉の取付方法を適用して枠体１に対して丁番１１、１１’、１１”により開閉扉６を開閉自在に取り付けたものである。
【００１８】
まず、枠体１は上下横枠２，３及び左右縦枠４，５から構成され、特に右縦枠５（以下、「吊元側縦枠５」という。）に対して丁番１１、１１’、１１”が取付ネジ１３により固定されている。
なお、吊元側縦枠５には、丁番１１、１１’、１１”を取付ける吊元側縦枠５の面に対して垂直方向に突出するフィン５ｂが吊元側縦枠５の長手方向に沿って形成されている。そのため、丁番１１、１１’、１１”取付時において丁番１１、１１’、１１”の端縁を当接させることで吊元側縦枠５の左右方向へ正確に位置決めを行うことができる。
【００１９】
さらに、開閉扉６は、上下横框７，８及び左右縦框９，１０から構成され、特に右縦框１０（以下、「吊元側縦框１０」という。）に対して丁番１１、１１’、１１”が取付ネジ１３により固定されている。
なお、吊元側縦框１０内には、縦框１０の左右方向に対向するように突出する係止縁１０ｂが吊元側縦框１０の長手方向に沿って形成される。そのため、後述する裏板１２’を上下方向に摺動自在に保持することができる。
【００２０】
また、丁番１１、１１’、１１”は、各々取付ネジ１３の径ａと略同一径の取付孔１１ｃを複数形成する縦枠側取付片１１ａ、１１’ａ、１１”ａと縦框側取付片１１ｂ、１１’ｂ、１１”ｂとから構成され、縦枠側取付片１１ａ、１１’ａ、１１”ａと縦框側取付片１１ｂ、１１’ｂ、１１”ｂとは互いに回動自在に軸着している。
そして、縦枠側取付片１１ａ、１１’ａ、１１”ａは吊元側縦枠５に取付ネジ１３により固定され、縦框側取付片１１ｂ、１１’ｂ、１１”ｂは吊元側縦框１０に取付ネジ１３により固定されるものである。
【００２１】
そして、丁番１１、１１’、１１”の縦枠側取付片１１ａ、１１’ａ、１１”ａと縦框側取付片１１ｂ、１１’ｂ、１１”ｂを各々吊元側縦枠５及び吊元側縦框１０に固定するにあたって共締めされる裏板１２、１２’は次のようになっている。
即ち、丁番１１、１１’、１１”の縦枠側取付片１１ａ、１１’ａ、１１”ａを吊元側縦枠５に固定するにあたり共締めされる裏板１２は、取付ネジ１３の径ａと略同一径の取付孔１２ａを複数形成する。そのため、裏板１２は、丁番１１、１１’、１１”の縦枠側取付片１１ａ、１１’ａ、１１”ａとともに取付ネジ１３により吊元側縦枠５内で共締め、固定される。
また、丁番１１、１１’、１１”の縦框側取付片１１ｂ、１１’ｂ、１１”ｂを吊元側縦框１０に固定するにあたり共締めされる裏板１２’は、取付ネジ１３の径ａと略同一径の取付孔１２’ａを複数形成するものである。その結果、裏板１２’は、丁番１１、１１’、１１”の縦框側取付片１１ｂ、１１’ｂ、１１”ｂとともに取付ネジ１３により吊元側縦框１０内で共締め、固定される。
ここで、吊元側縦框１０内において、一端側の丁番１１の縦框側取付片１１ｂとともに共締め、固定される裏板１２’は、丁番取付孔１０ａの加工誤差は少なく、しかも一端側に固定される丁番１１を他の丁番１１’、１１”の取付基準とするため吊元側縦框１０内で予め固定ネジ１５により固定するものであるが、より正確な取付を期すために上下方向へ位置調整が可能なように摺動自在としてもよいものである。
更に、吊元側縦框１０内において、吊元側縦框１０の一端側の丁番１１以外の他の丁番１１’、１１”の縦框側取付片１１’ｂ、１１”ｂとともに、共締め固定される裏板１２’は、吊元側縦框１０内で係止縁１０ｂにより上下方向に摺動自在となるように保持されている。その上で、裏板１２’が吊元側縦框１０内より脱落しないようにストップビス１４により一定以上の下方への摺動が規制されている。
【００２２】
そこで、枠体１に対して開閉扉６は本願発明の開閉扉の取付方法によって具体的に次のようにして取り付ける。
【００２３】
まず、吊元側縦枠５では、吊元側縦枠５の長手方向の一端側を基準として取付ネジ１３の径ａと略同一径の丁番取付孔５ａを複数形成し、また吊元側縦框１０では、吊元側縦框１０の長手方向の一端側を基準として取付ネジ１３の径ａよりも大きい径ｂとする丁番取付孔１０ａを複数形成してなるものである〔図５（イ）、図６（イ）〕。
なお、吊元側縦框１０に複数形成される丁番取付孔１０ａのうち、一端側の丁番１１を取り付ける丁番取付孔１０ａは、成形加工時の加工誤差は小さく、しかも他の丁番１１’、１１”の取り付けの基準となり確実に取り付ける必要があることから、取付ネジ１３の径ａと略同一径としている。
【００２４】
次に、丁番１１、１１’、１１”の縦枠側取付片１１ａ、１１’ａ、１１”ａは、吊元側縦枠５のフィン５ｂに対して縦枠側取付片１１ａ、１１’ａ、１１”ａの端縁を当接させて位置決めをし、吊元側縦枠５の丁番取付孔５ａに取付ネジ１３により裏板１２を共締めして固定する。
【００２５】
更に、丁番１１の縦框側取付片１１ｂは、吊元側縦框１０の一端側の丁番取付孔１０ａに取付ネジ１３により吊元側縦框１０内において固定ネジ１５により予め固定された裏板１２’を共締めして固定するものである。
【００２６】
その上で、各丁番の縦框側取付片と縦枠側取付片を上方から係合させて、吊元側縦框を吊元側縦枠に取り付ける際に、吊元側縦框１０の一端側以外の他の丁番１１’、１１”の縦框側取付片１１’ｂ、１１”ｂは、順次吊元側縦框１０の他の丁番取付孔１０ａに対して取付孔１１ｃを合致するように上下方向に位置調整する。そして、裏板１２’は縦框側取付片１１’ｂ、１１”ｂの位置調整に合わせて上下方向に摺動させる。そこで、縦框側取付片１１’ｂ、１１”ｂは、取付ネジ１３により裏板１２’を共締することで縦框１０に固定されるものとなる。
【００２７】
以上のように、本願発明によって枠体１の吊元側縦枠５と開閉扉６の吊元側縦框１０との丁番取付孔５ａ、１０ａの加工誤差は簡易に解消されるので丁番１１、１１’、１１”は吊元側縦枠５及び吊元側縦枠１０に対して正確に取り付けることができる。そのため、枠体１に対して開閉扉６は簡易且つ正確に取り付けることができるものとなる。
【００２８】
その上、丁番１１’、１１”の縦框側取付片１１’ｂ、１１”ｂの位置調整に合わせて吊元側縦框１０内の裏板１２’を摺動させることができるので、丁番１１’、１１”の縦框側取付片１１’ｂ、１１”ｂは吊元側縦框１０に対して取付ネジ１３により確実に共締めし、固定することができる。その結果、枠体１に対して開閉扉６は簡易且つ正確に、しかも強固に取り付けることができるものとなる。
【産業上の利用可能性】
【００２９】
本願発明は、枠体に対して開閉扉を簡易且つ正確に、しかも強固に取り付けることができるので、住宅や家具等において丁番によって開閉自在となるあらゆる開閉扉に適用することができる。
【符号の説明】
【００３０】
１    枠体
２    上横枠
３    下横枠
４    左縦枠
５    右縦枠（吊元側縦枠）
５ａ    丁番取付孔
５ｂ    フィン
６    開閉扉
７    上横框
８    下横框
９    左縦框
１０    右縦框（吊元側縦框）
１０ａ    丁番取付孔
１０ｂ    係止縁
１１、１１’、１１”    丁番
１１ａ、１１’ａ、１１”ａ    縦枠側取付片
１１ｂ、１１’ｂ、１１”ｂ    縦框側取付片
１１ｃ    取付孔
１１’ｃ  丁番軸
１１’ｄ  丁番軸溝
１２、１２’    裏板
１２ａ、１２’ａ    取付孔
１３    取付ネジ
１４    ストップビス
１５    固定ネジ
ａ    取付ネジの径
ｂ    （吊元側縦框の）丁番取付孔の径
【図１】
0005475292.tif 000002
【図２】
0005475292.tif 000003
【図３】
0005475292.tif 000004
【図４】
0005475292.tif 000005
【図５】
0005475292.tif 000006
【図６】
0005475292.tif 000007